(57)【要約】【課題】電気接続部材から露光手段に作用する荷重を低減することができる露光装置及び画像形成装置を得る。【解決手段】露光装置３０は、感光体２８と下ハウジング１３との間に配置され感光体２８へ露光する露光ユニット７３と、露光ユニット７３に設けられたコネクタ４５と電気的に接続され、感光体２８と下ハウジング１３との隙間の外側で第１折曲げ部Ｅ１が形成され、該第１折曲げ部Ｅ１よりも露光ユニット７３とは反対側に第２折曲げ部Ｅ２が形成されたＦＦＣ７５と、を含んで構成されている。ここで、露光装置３０では、第１折曲げ部Ｅ１及び第２折曲げ部Ｅ２において、折曲げによりＦＦＣ７５のばね性が低くなっているため、ＦＦＣ７５を折曲げないものに比べて、ＦＦＣ７５Ｃから露光ユニット７３に作用する荷重を低減することができる。【選択図】図５
2011133773.tif 000002
【特許請求の範囲】
【請求項１】
被露光体と部品との間に配置され被露光体へ露光する露光手段と、
前記露光手段に設けられた接続部と電気的に接続され、前記被露光体と前記部品との隙間の外側で第１折曲げ部が形成され、該第１折曲げ部に対し前記露光手段とは反対側に第２折曲げ部が形成された電気接続部材と、
を有する露光装置。
【請求項２】
前記電気接続部材の幅方向から見て、前記接続部から前記第１折曲げ部までの距離をＬ１とし、前記接続部から前記部品の端部までの距離をＬｄ１として、前記第１折曲げ部がＬｄ１＜Ｌ１となる範囲に形成されている請求項１に記載の露光装置。
【請求項３】
前記電気部材を挟んで前記部品とは反対側に他の部品が設けられ、前記部品と前記他の部品との間隔をＳとして、第１折曲げ部がＬｄ１＜Ｌ１＜Ｌｄ１＋Ｓとなる範囲に形成されている請求項２に記載の露光装置。
【請求項４】
前記電気接続部材の幅方向から見て、前記第１角部から前記第１折曲げ部による折曲げ側における前記部品の端部までの距離をＬｄ２とし、前記第１折曲げ部から前記第２折曲げ部までの距離をＬ２として、前記第２折曲げ部がＬｄ２＜Ｌ２となる範囲に形成されている請求項２又は請求項３に記載の露光装置。
【請求項５】
前記露光手段により外周面が露光されるとともに、露光によって形成された潜像を保持する、前記被露光体としての像保持体と、
請求項１から請求項４のいずれか１項に記載の露光装置と、
前記像保持体の潜像を現像剤で現像する現像手段と、
前記現像手段で現像された現像剤像を前記像保持体の外周面に向けて搬送される被転写材に転写する転写手段と、
を有する画像形成部が、前記被転写材の搬送方向に複数並べられた画像形成装置。
【請求項６】
前記転写手段は、前記像保持体の上側に配置され、
前記部品が設置される部位の底板には、前記部品側に開口した溝部が形成され、該溝部内に複数の前記画像形成部の前記電気接続部材が重ねて配置されている請求項５に記載の画像形成装置。
【発明の詳細な説明】
【技術分野】
【０００１】
本発明は、露光装置及び画像形成装置に関する。
【背景技術】
【０００２】
特許文献１は、コネクタに接続される可撓性を有する配線部材であるＦｌｅｘｉｂｌｅ  Ｆｌａｔ  Ｃａｂｌｅ（以後ＦＦＣと記載する）端部に、撓みを規制する規制部材を設けている。
【０００３】
特許文献２は、光書き込みヘッドから引き出したＦＦＣを、光書き込みヘッドの側面に設けられた保持手段のスリットに通してから湾曲させている。
【先行技術文献】
【特許文献】
【０００４】
【特許文献１】特開２００８−０８０７３９号公報
【特許文献２】特開２０００−１５８７４９号公報
【発明の概要】
【発明が解決しようとする課題】
【０００５】
本発明は、電気接続部材から露光手段に作用する荷重を低減することができる露光装置及び画像形成装置を得ることを目的とする。
【課題を解決するための手段】
【０００６】
本発明の請求項１に係る露光装置は、被露光体と部品との間に配置され被露光体へ露光する露光手段と、前記露光手段に設けられた接続部と電気的に接続され、前記被露光体と前記部品との隙間の外側で第１折曲げ部が形成され、該第１折曲げ部に対し前記露光手段とは反対側に第２折曲げ部が形成された電気接続部材と、を有する。
【０００７】
本発明の請求項２に係る露光装置は、前記電気接続部材の幅方向から見て、前記接続部から前記第１折曲げ部までの距離をＬ１とし、前記接続部から前記部品の端部までの距離をＬｄ１として、前記第１折曲げ部がＬｄ１＜Ｌ１となる範囲に形成されている。
【０００８】
本発明の請求項３に係る露光装置は、前記電気部材を挟んで前記部品とは反対側に他の部品が設けられ、前記部品と前記他の部品との間隔をＳとして、第１折曲げ部がＬｄ１＜Ｌ１＜Ｌｄ１＋Ｓとなる範囲に形成されている。
【０００９】
本発明の請求項４に係る露光装置は、前記電気接続部材の幅方向から見て、前記第１角部から前記第１折曲げ部による折曲げ側における前記部品の端部までの距離をＬｄ２とし、前記第１折曲げ部から前記第２折曲げ部までの距離をＬ２として、前記第２折曲げ部がＬｄ２＜Ｌ２となる範囲に形成されている。
【００１０】
本発明の請求項５に係る画像形成装置は、前記露光手段により外周面が露光されるとともに、露光によって形成された潜像を保持する、前記被露光体としての像保持体と、請求項１から請求項４のいずれか１項に記載の露光装置と、前記像保持体の潜像を現像剤で現像する現像手段と、前記現像手段で現像された現像剤像を前記像保持体の外周面に向けて搬送される被転写材に転写する転写手段と、を有する画像形成部が、前記被転写材の搬送方向に複数並べられている。
【００１１】
本発明の請求項６に係る画像形成装置は、前記転写手段は、前記像保持体の上側に配置され、前記部品が設置される部位の底板には、前記部品側に開口した溝部が形成され、該溝部内に複数の前記画像形成部の前記電気接続部材が重ねて配置されている。
【発明の効果】
【００１２】
請求項１の発明は、電気接続部材を湾曲させた構成に比べて、電気接続部材から露光手段に作用する荷重を低減することができる。
【００１３】
請求項２の発明は、電気接続部材を湾曲させた構成に比べて、電気接続部材から露光手段に作用する荷重を低減することができる。
【００１４】
請求項３の発明は、電気接続部材を湾曲させた構成に比べて、電気接続部材から露光手段に作用する荷重を低減することができる。
【００１５】
請求項４の発明は、電気接続部材を湾曲させた構成に比べて、電気接続部材から露光手段に作用する荷重を低減することができる。
【００１６】
請求項５の発明は、電気接続部材を湾曲させた構成に比べて、電気接続部材から露光手段に作用する荷重を低減することができる。
【００１７】
請求項６の発明は、電気接続部材を湾曲させた構成に比べて、電気接続部材から露光手段に作用する荷重を低減することができる。
【図面の簡単な説明】
【００１８】
【図１】本発明の実施形態に係る画像形成装置の全体図である。
【図２】（ａ）本発明の実施形態に係る複数の露光装置の配置状態を示す模式図である。（ｂ）本発明の実施形態に係る露光装置の斜視図である。
【図３】本発明の実施形態に係る複数の画像形成ユニットでのＦＦＣのはい回し状態を示す斜視図である。
【図４】本発明の実施形態に係る複数の画像形成ユニットへの底板の取り付け状態を示す斜視図である。
【図５】本発明の実施形態に係るＣとＫの画像形成ユニットの断面図である。
【図６】本発明の実施形態に係るＦＦＣの折曲げ状態を示す模式図である。
【図７】（ａ）第１比較例に係るＦＦＣの湾曲状態を示す模式図である。（ｂ）本発明の実施形態に係るＦＦＣの湾曲状態を示す模式図である。
【図８】（ａ）第２比較例に係るＦＦＣの湾曲状態を示す模式図である。（ｂ）本発明の実施形態に係るＦＦＣの湾曲状態を示す模式図である。
【図９】本発明の実施形態に係るＦＦＣの引張り力と露光ユニットに作用する荷重の関係を示すグラフである。
【発明を実施するための形態】
【００１９】
本発明の実施形態に係る露光装置及び画像形成装置の一例について説明する。
【００２０】
図１には、第１実施形態の画像形成装置１０が示されている。画像形成装置１０は、一例として、イエロー（Ｙ）、マゼンタ（Ｍ）、シアン（Ｃ）、ブラック（Ｋ）の４色のトナー（現像剤）による画像形成を行う画像形成手段の一例としての画像形成ユニット１２Ｙ、１２Ｍ、１２Ｃ、１２Ｋが、本体である筐体１１内の中央で斜め方向（図示の右下方向）に配列されている。画像形成ユニット１２の配置順は、図示の左上から右下へ向けて、Ｙ、Ｍ、Ｃ、Ｋとなっている。
【００２１】
各画像形成ユニット１２Ｙ、１２Ｍ、１２Ｃ、１２Ｋは、収容されるトナーを除いて同様の構成となっている。なお、以後の説明では、イエロー、マゼンタ、シアン、ブラックの各色を区別するときには、数字の後にＹ、Ｍ、Ｃ、Ｋの英字を付加した符号で説明するが、各色を区別する必要がない場合は、数字の後のＹ、Ｍ、Ｃ、Ｋの英字は省略する。各トナーＹ、Ｍ、Ｃ、Ｋは、特に製造方法により限定されるものではない。
【００２２】
各画像形成ユニット１２Ｙ、１２Ｍ、１２Ｃ、１２Ｋの上方には、各画像形成ユニット１２Ｙ、１２Ｍ、１２Ｃ、１２Ｋで形成されたトナー像（画像）を記録用紙Ｐに転写させる転写ユニット１４が設けられている。転写ユニット１４は、筒状の中間転写ベルト１６と、中間転写ベルト１６の内側に配置され、各画像形成ユニット１２Ｙ、１２Ｍ、１２Ｃ、１２Ｋの各トナー像を中間転写ベルト１６に多重転写させる４つの一次転写ロール１８Ｙ、１８Ｍ、１８Ｃ、１８Ｋと、中間転写ベルト１６上で重ねられたトナー像を、記録用紙Ｐに転写させる二次転写ロール２０とを含んで構成されている。
【００２３】
中間転写ベルト１６は、二次転写ロール２０と対向配置され図示しないモータで駆動される駆動ロール２６と、回転可能に支持された支持ロール２２とに巻き掛けられており、駆動ロール２６が図示しないモータで駆動され回転することにより、矢印Ａ方向（図示の反時計回り方向）に循環移動されるようになっている。
【００２４】
一次転写ロール１８Ｙ、１８Ｍ、１８Ｃ、１８Ｋは、中間転写ベルト１６を挟んでそれぞれの画像形成ユニット１２Ｙ、１２Ｍ、１２Ｃ、１２Ｋの後述する被露光体の一例としての感光体２８と対向配置されている。一次転写ロール１８Ｙ、１８Ｍ、１８Ｃ、１８Ｋには、トナー極性とは逆極性（本実施形態では一例として正極性）の転写電圧が印加されるようになっている。また、二次転写ロール２０にも、トナー極性とは逆極性の転写電圧が付与されるようになっている。なお、中間転写ベルト１６の支持ロール２２が設けられている位置の外周面には、図示しないクリーニング装置が設けられており、このクリーニング装置によって、中間転写ベルト１６上の残留トナーや紙粉等が除去されるようになっている。
【００２５】
一方、画像形成ユニット１２の下方には、記録用紙Ｐが収納された給紙部４６が設けられている。また、給紙部４６の端部（図示の右端部）から鉛直方向（矢印Ｚ方向）上方には、記録用紙Ｐが搬送される用紙搬送路５０が設けられている。
【００２６】
用紙搬送路５０には、記録用紙Ｐを給紙部４６から送り出す送出ロール４８と、記録用紙Ｐを搬送する一対のロールで構成された搬送ロール５２と、中間転写ベルト１６上の画像の移動タイミングと記録用紙Ｐの搬送タイミングとを合わせる一対のロールで構成された位置合せロール５４とが設けられている。ここで、給紙部４６から送出ロール４８によって順次送り出された記録用紙Ｐは、用紙搬送路５０を経由して、位置合わせロール５４によって中間転写ベルト１６の二次転写位置まで搬送されるようになっている。
【００２７】
用紙搬送路５０上で二次転写ロール２０の下流側（上方）には、定着ユニット６０が設けられている。定着ユニット６０は、図示しない加熱源（例えば、ハロゲンヒータ）で加熱される加熱ロール６２と、加熱ロール６２とで記録用紙Ｐを挟んでトナー像を加圧する加圧ロール６４とを有している。また、用紙搬送路５０上で定着ユニット６０の下流側には、定着後の記録用紙Ｐを筐体１１の外側へ排出する一対のロールで構成された排出ロール６６が設けられており、排出ロール６６で排出された記録用紙Ｐは、筐体１１の上面に形成された排出部６７に載るようになっている。なお、筐体１１内で用紙搬送路５０と反対側には、画像形成装置１０の各部の駆動制御を行う制御部３６が設けられている。
【００２８】
次に、画像形成ユニット１２について説明する。ここでは、トナー各色を区別せずに説明する。
【００２９】
画像形成ユニット１２は、矢印Ｂ方向（図示の時計回り方向）に回転駆動される感光体２８と、感光体２８の外周面に接触して帯電させる帯電ロール７２と、感光体２８の外周面に露光光を照射して静電潜像を形成する露光手段の一例としての露光ユニット７３と、感光体２８の外周面の静電潜像をトナーで現像する現像ロール７８と、転写後の感光体２８の外周面に光を照射して除電を行う除電ランプ７４と、除電後の感光体２８の外周面を清掃するクリーニングブレード７６とを有している。露光ユニット７３は、後述する露光装置３０の構成部品の一つである。
【００３０】
なお、帯電ロール７２、露光ユニット７３、現像ロール７８、除電ランプ７４、及びクリーニングブレード７６は、感光体２８の外周面と対向して、感光体２８の回転方向上流側から下流側へ向けてこの順番で配置されている。また、帯電ロール７２の外周面で感光体２８と反対側には、帯電ロール７２外周面に付着したトナーの外添剤などを取り除くためのクリーニングロール７９が回転可能に設けられている。帯電ロール７２は、図示しない通電手段に接続されており、従動回転しながら画像形成時に通電され感光体２８の外周面を帯電させるようになっている。
【００３１】
現像ロール７８の下側には、図示しないトナー供給部から供給された現像剤（一例として、樹脂製のトナーと金属製のキャリアの混合物）を攪拌（混合）して現像ロール７８に供給する螺旋状の２本の搬送部材８１が設けられている。また、現像ロール７８の外周面と対向して薄層形成ロール９７が設けられている。薄層形成ロール９７は、現像ロール７８の回転方向の感光体２８よりも上流側で、現像ロール７８の外周面と間隔をあけて配置されており、現像ロール７８外周面上の現像剤の通過量を規制して、現像ロール７８上に予め決められた厚さの現像剤層（薄層）を形成するようになっている。
【００３２】
現像ロール７８は、固定されたマグネットロール（図示省略）と、マグネットロールの外側で回転可能に設けられた筒状の現像スリーブ（図示省略）とで構成されている。なお、現像ロール７８と感光体２８との間には現像時に電圧が付与されて電界が形成され、現像ロール７８は、回転しながら現像剤中のトナーを感光体２８の静電潜像に向けて移動させるようになっている。
【００３３】
次に、露光装置３０について説明する。
【００３４】
図２（ｂ）に示すように、露光装置３０は、後述するホルダー３４を有する露光ユニット７３と、露光ユニット７３に設けられた接続部の一例としてのコネクタ４５に一端が電気的に接続され、他端が後述する駆動用基板３２（図３参照）に電気的に接続されて、露光ユニット７３への給電及び電気信号の送信を可能とする電気接続部材の一例としてのＦＦＣ（Ｆｌｅｘｉｂｌｅ  Ｆｌａｔ  Ｃａｂｌｅ）７５とを含んで構成されている。なお、露光ユニット７３のホルダー３４は、長手方向の両端部３４Ａ、３４Ｂが画像形成ユニット１２の部品の一例としての後述する下ハウジング１３（図１参照）に固定され、感光体２８外周面からの距離が予め設定された距離となるように保持されている。
【００３５】
図５に示すように、画像形成ユニット１２は、下ハウジング１３と上ハウジング１５とで構成される本体を有している。下ハウジング１３には、現像ロール７８、搬送部材８１、及び薄層形成ロール９７が設けられており、上ハウジング１５には、感光体２８、露光ユニット７３、帯電ロール７２、クリーニングロール７９、クリーニングブレード７６、及び除電ランプ７４が設けられている。また、露光ユニット７３は、その本体となるホルダー３４に、発光部となるＬＥＤ（Ｌｉｇｈｔ  Ｅｍｉｔｔｉｎｇ  Ｄｉｏｄｅ）アレイ（図示省略）が設けられた第１プリント基板３８と、ＬＥＤアレイを駆動するドライバ（図示省略）が搭載された第２プリント基板４２と、ＬＥＤアレイから出射された光を感光体２８の外周面へ結像するためのセルフォックレンズアレイ４４とが取り付けられた構成となっており、感光体２８と下ハウジング１３との間である隙間部７１に配置されている。
【００３６】
第１プリント基板３８は、ＬＥＤアレイの設置面をホルダー３４に形成された開口を通して感光体２８の外周面に臨んでホルダー３４内に取り付けられており、図示しない板バネによって両端部が支持されている。また、セルフォックレンズアレイ４４は、ホルダー３４の開口に固定されており、各ＬＥＤから出射された光を感光体２８の外周面に結像するように構成されている。
【００３７】
第２プリント基板４２は、図示しない配線により第１プリント基板３８と電気的に接続されており、第１プリント基板３８側の面にドライバ（図示省略）が半田付けされている。また、第２プリント基板４２のドライバ取り付け面とは反対側の面にＦＦＣ７５の一端を接続するためのコネクタ４５が半田付けされている。なお、コネクタ４５は、露光ユニット７３の長手中央に設けられている。
【００３８】
ＦＦＣ７５は、間隔をあけて並列配置した複数本の配線（導電線）を可撓性の帯状の絶縁材で挟んだ構成となっている。一例として、錫メッキの銅箔をポリエステルのテープで挟んだものがある。また、ＦＦＣ７５の表面には図示しない電波シールド部材が貼り付けてあるため、ＦＦＣ７５のばね性が高くなっており、ＦＦＣ７５を湾曲させた場合、元の平坦状態に戻ろうとする復元力がＦＦＣ７５に作用することになる。
【００３９】
図２（ａ）及び図３に示すように、各露光ユニット７３Ｙ、７３Ｍ、７３Ｃ、７３Ｋにそれぞれ接続されたＦＦＣ７５Ｙ、７５Ｍ、７５Ｃ、７５Ｋは、各露光ユニット７３Ｙ、７３Ｍ、７３Ｃ、７３Ｋ側の端部から２回折曲げた状態で下ハウジング１３の長手中央を横切る配置となっており、ＦＦＣ７５Ｙ、７５Ｍ、７５Ｃ、７５Ｋの４本まとめて、ノイズ低減（磁気シールド）手段である筒状のフェライトコア５８に挿通されている。なお、図３は、図１の画像形成装置１０を裏面側から斜め方向に見たときの各画像形成ユニット１２Ｙ、１２Ｍ、１２Ｃ、１２Ｋの配置状態及びＦＦＣ７５Ｙ、７５Ｍ、７５Ｃ、７５Ｋの設置状態を示している。
【００４０】
図４に示すように、画像形成ユニット１２Ｙ、１２Ｍ、１２Ｃ、１２Ｋ（下ハウジング１３Ｙ、１３Ｍ、１３Ｃ、１３Ｋ）が設置される部位には、画像形成ユニット１２Ｙ、１２Ｍ、１２Ｃ、１２Ｋの底面及び画像形成ユニット１２Ｙの側面を覆うようにして底板５６が設けられている。また、底板５６には、下ハウジング１３Ｙ、１３Ｍ、１３Ｃ、１３Ｋ側に開口した溝部５６Ａ、５６Ｂが形成されており、該溝部５６Ａ、５６Ｂ内にＦＦＣ７５Ｙ、７５Ｍ、７５Ｃ、７５Ｋ（図３参照）が配置されている。なお、溝部５６Ｂ内には、前述のフェライトコア５８（図３参照）が配置されている。
【００４１】
図３に示すように、画像形成ユニット１２Ｙ、１２Ｍ、１２Ｃ、１２Ｋの奥側の側面に近い位置には、駆動用基板３２が設けられている。駆動用基板３２は、各第２プリント基板４２（図５参照）のドライバを駆動制御するための回路を備えた制御部３５を有しており、制御部３５を実装した面には、制御部３５と導通した４つのコネクタ３３Ｙ、３３Ｍ、３３Ｃ、３３Ｋが設けられている。４つのコネクタ３３Ｙ、３３Ｍ、３３Ｃ、３３Ｋには、フェライトコア５８に挿通され下ハウジング１３の長手方向に沿う方向及び駆動用基板３２に沿う方向に折曲げられたＦＦＣ７５Ｙ、７５Ｍ、７５Ｃ、７５Ｋの端部（端子部）がそれぞれ接続されている。
【００４２】
次に、ＦＦＣ７５の露光ユニット７３側での折曲げ状態について説明する。
【００４３】
図５に示すように、ＦＦＣ７５は、感光体２８と下ハウジング１３との隙間の外側で第１折曲げ部Ｅ１が形成され、該第１折曲げ部Ｅ１に対する感光体２８とは反対側に第２折曲げ部Ｅ２が形成されている。なお、本実施形態におけるＦＦＣ７５の折曲げとは、復元しないようにＦＦＣ７５に折り目が残ることである。
【００４４】
ここで、図６には、露光ユニット７３Ｃ、７３Ｋ、下ハウジング１３Ｃ、１３Ｋ、及びＦＦＣ７５Ｃ、７５Ｋの配置状態が模式図で示されている。なお、トナーＹ、Ｍに対応する各部材も同様の構成となっているが、ここでは説明を省略する。
【００４５】
図６に示すように、下ハウジング１３Ｃには、第１折曲げ部Ｅ１に近い位置に部品の端部の一例としての第１角部Ｈ１がある。ここで、コネクタ４５Ｃに接続されたＦＦＣ７５Ｃの一端部である接続部４７Ｃ（接続部４７Ｃもコネクタ４５Ｃの一部を構成しているものとする）から第１折曲げ部Ｅ１までの第１平坦部７７Ａの距離をＬ１、接続部４７Ｃから第１角部Ｈ１までの距離をＬｄ１、下ハウジング１３Ｃの側壁（図示の右側面）と下ハウジング１３Ｋの側壁（図示の左側面）との間隔をＳとして、第１折曲げ部Ｅ１がＬｄ１＜Ｌ１＜Ｌｄ１＋Ｓとなる範囲に形成されている。さらに、下ハウジング１３Ｃには、第２折曲げ部Ｅ２に近い位置に第１折曲げ部Ｅ１による折曲げ側における部品の端部の一例としての第２角部Ｈ２が設けられ、第１角部Ｈ１から第２角部Ｈ２までの距離をＬｄ２とし、第１折曲げ部Ｅ１から第２折曲げ部Ｅ２までの第２平坦部７７Ｂの距離をＬ２として、第２折曲げ部Ｅ２がＬｄ２＜Ｌ２となる範囲に形成されている。なお、ＦＦＣ７５Ｃにおける第２平坦部７７Ｂに連続する平坦部を第３平坦部７７Ｃとする。
【００４６】
同様にして、下ハウジング１３Ｋには、第１折曲げ部Ｅ３に近い位置に部品の端部の一例としての第１角部Ｈ３が設けられている。ここで、コネクタ４５Ｋに接続されたＦＦＣ７５Ｋの一端部である接続部４７Ｋ（接続部４７Ｋもコネクタ４５Ｋの一部を構成しているものとする）から第１折曲げ部Ｅ３までの第１平坦部８３Ａの距離をＬ１、接続部４７Ｋから第１角部Ｈ３までの距離をＬｄ１として、第１折曲げ部Ｅ３がＬｄ１＜Ｌ１となる範囲に形成されている。さらに、下ハウジング１３Ｋには、第２折曲げ部Ｅ４に近い位置に第１折曲げ部Ｅ３による折曲げ側における部品の端部の一例としての第２角部Ｈ４が設けられ、第１角部Ｈ３から第２角部Ｈ４までの距離をＬｄ２とし、第１折曲げ部Ｅ３から第２折曲げ部Ｅ４までの第２平坦部８３Ｂの距離をＬ２として、第２折曲げ部Ｅ４がＬｄ２＜Ｌ２となる範囲に形成されている。なお、ＦＦＣ７５Ｋにおける第２平坦部８３Ｂに連続する平坦部を第３平坦部８３Ｃとする。また、下ハウジング１３Ｋの図示の左側には下ハウジング１３Ｃが配置されているが、下ハウジング１３Ｋの図示の右側には、ＦＦＣ７５Ｋに影響を与える位置に何も配置されていないため、ＦＦＣ７５ＣのＬ１に比べてＦＦＣ７５ＫのＬ１が大きくなってもよい。
【００４７】
次に、本発明の実施形態の作用について説明する。
【００４８】
まず、画像形成装置１０の画像形成工程について説明する。
【００４９】
図１に示すように、画像形成装置１０の各ユニットが作動状態になると、制御部３６で画像処理が施された画像データは、各色の色材階調データに変換され、露光装置３０に順次出力される。露光装置３０では、各色の色材階調データに応じて露光ユニット７３が各露光光を出射して、帯電ロール７２によって帯電した各感光体２８の外周面に露光を行い、各感光体２８に静電潜像が形成される。
【００５０】
各感光体２８に形成された静電潜像は、現像ロール７８によってそれぞれイエロー（Ｙ）、マゼンタ（Ｍ）、シアン（Ｃ）、ブラック（Ｋ）の各色のトナー画像（現像剤像）として現像（顕在化）される。そして、各画像形成ユニット１２Ｙ、１２Ｍ、１２Ｃ、１２Ｋの感光体２８上に順次形成された各色のトナー像は、４つの一次転写ロール１８Ｙ、１８Ｍ、１８Ｃ、１８Ｋによって中間転写ベルト１６上に順次多重転写される。
【００５１】
中間転写ベルト１６上に多重転写された各色のトナー像は、給紙部４６から搬送されてきた記録用紙Ｐ上に二次転写ロール２０によって二次転写される。そして、記録用紙Ｐ上の各色のトナー像が定着ユニット６０で加熱ロール６２及び加圧ロール６４で定着され、定着後の記録用紙Ｐは排出ロール６６によって排出部６７に排出される。また、トナー像の一次転写が終了した後の感光体２８の外周面は、クリーニングブレード７６によって残留トナーや紙粉等が除去される。
【００５２】
次に、露光装置３０の作用について説明する。
【００５３】
図７（ａ）には、第１比較例としての露光装置２００が示されている。露光装置２００は、露光ユニット７３Ｃと、露光ユニット７３Ｃに一端が電気的に接続され他端が駆動用基板３２（図３参照）と接続されたＦＦＣ２０２とを含んで構成されている。ＦＦＣ２０２は、前述のＦＦＣ７５と同様の部材で構成されているが、折曲げられておらず、湾曲した状態で取り付けられている。
【００５４】
ここで、露光装置２００では、画像形成装置１０（図１参照）への取り付け時にＦＦＣ２０２を矢印Ｘ方向（図示の左方向）に引っ張ると、ＦＦＣ２０２に折曲げ部がなくＦＦＣ２０２自体のばね性が高いため、ＦＦＣ２０２のコネクタ４５Ｃへの接続部位に引張り開始時から矢印Ｚ方向（図示の下方向）の荷重が作用する（図９の破線グラフＧ２参照）。この荷重により、露光ユニット７３Ｃ内の第１プリント基板３８及び第２プリント基板４２（図５参照）が湾曲して、副走査方向（記録用紙Ｐの搬送方向）又は焦点方向（感光体２８の径方向）の露光位置が予め決められている露光位置からずれ、記録用紙Ｐ上の画像が乱れることになる。なお、ＦＦＣ２０２は、破線が元の位置を表しており、実線が引っ張り後の位置を表している。
【００５５】
一方、図７（ｂ）に示すように、本実施形態の露光装置３０Ｃ（ここではＣのみについて説明し、Ｙ、Ｍ、Ｋの説明は省略する）では、画像形成装置１０（図１参照）への取り付け時にＦＦＣ７５Ｃを矢印Ｘ方向（図示の左方向）に引っ張ったとき、第１折曲げ部Ｅ１及び第２折曲げ部Ｅ２でＦＦＣ７５Ｃの変形が遮断される。すなわち、第１折曲げ部Ｅ１及び第２折曲げ部Ｅ２でばね性が低くなっているため、第１折曲げ部Ｅ１を支点として引っ張られている側のＦＦＣ７５Ｃが移動するのみであり、ＦＦＣ７５Ｃのコネクタ４５Ｃへの接続部位に引張り開始時から作用する応力は第１比較例に比べて低減される（図９の実線グラフＧ１参照）。これにより、露光ユニット７３内の第１プリント基板３８及び第２プリント基板４２（図５参照）の湾曲が抑えられ、記録用紙Ｐ上の画像の乱れが低減される。なお、ＦＦＣ７５Ｃは、破線が元の位置を表しており、実線が引っ張り後の位置を表している。
【００５６】
次に、図８（ａ）には、第２比較例としての露光装置２１０が示されている。露光装置２１０は、露光ユニット７３Ｃと、露光ユニット７３Ｃに一端が電気的に接続され他端が駆動用基板３２（図３参照）と接続されたＦＦＣ２１２とを含んで構成されている。ＦＦＣ２１２は、前述のＦＦＣ７５と同様の部材で構成されているが、折曲げられておらず、湾曲した状態で取り付けられている。つまり、折曲げ部の設定位置は管理されていない。また、下ハウジング１３Ｃの隣には、下ハウジング１３Ｋが配置されており、下ハウジング１３Ｃと下ハウジング１３Ｋとの間にＦＦＣ２１２が配置されている。
【００５７】
ここで、露光装置２１０では、画像形成装置１０（図１参照）への取り付け時にＦＦＣ２１２が湾曲した状態で取り付けられると、折曲げ部の設定位置が管理されていないため、ＦＦＣ２１２は、例えば、図の実線で示すように下ハウジング１３Ｋの側面と接触してコネクタ４５Ｃ方向に押し付けられ、ＦＦＣ２０２のコネクタ４５Ｃへの接続部位に矢印Ｎ方向（図示の左斜め上方向）の荷重が作用する。また、ＦＦＣ２１２を矢印Ｘ方向（図示の左方向）に引っ張ると、ＦＦＣ２１２に折曲げ部がなくＦＦＣ２１２自体のばね性が高いため、ＦＦＣ２１２のコネクタ４５Ｃへの接続部位に矢印Ｚ方向（図示の下方向）の荷重が作用する。この荷重により、露光ユニット７３内の第１プリント基板３８及び第２プリント基板４２（図５参照）が湾曲して、副走査方向又は焦点方向の露光位置が予め決められている露光位置からずれ、記録用紙Ｐ上の画像が乱れることになる。
【００５８】
一方、図８（ｂ）に示すように、本実施形態の露光装置３０Ｃ（ここではＣのみについて説明し、Ｙ、Ｍ、Ｋの説明は省略する）では、前述のように第１折曲げ部Ｅ１の設定位置がＬｄ１＜Ｌ１＜Ｌｄ１＋Ｓ（図５参照）となるように管理されているため、ＦＦＣ７５Ｃは、下ハウジング１３Ｃと下ハウジング１３Ｋとの間に配置され、下ハウジング１３Ｃ、１３Ｋには接触しない。このため、ＦＦＣ７５Ｃのコネクタ４５Ｃへの接続部位に作用する応力は、比較例に比べて低減される。
【００５９】
さらに、本実施形態の露光装置３０Ｃでは、第２折曲げ部Ｅ２の設定位置がＬｄ２＜Ｌ２（図５参照）となるように管理されているため、ＦＦＣ７５Ｃを矢印Ｘ方向（図示の左方向）に引っ張ったとき、下ハウジング１３Ｃの第２角部Ｈ２とＦＦＣ７５Ｃとが接触しにくい。このため、ＦＦＣ７５Ｃのコネクタ４５Ｃへの接続部位に作用する応力は、第２比較例に比べて低減される。これにより、露光ユニット７３内の第１プリント基板３８及び第２プリント基板４２（図５参照）の湾曲が抑えられ、記録用紙Ｐ上の画像の乱れが低減される。
【００６０】
なお、本発明は上記の実施形態に限定されない。
【００６１】
各下ハウジング１３の周囲におけるＦＦＣ７５の折曲げ部の形成箇所は、３箇所以上の複数箇所であってもよい。また、画像形成ユニット１２Ｙ、１２Ｍ、１２Ｃ、１２Ｋは、斜め方向に並べられたものだけでなく、水平方向や鉛直方向に並べられたものであってもよい。さらに、画像形成ユニット１２の本体は、上ハウジング１５と下ハウジング１３に分割されていなくともよく、すなわち一体で構成されていてもよい。また、電機接続部材の例として、ＦＦＣ７５に限らず、ばね性の高い配線を用いてもよい。さらに、第１平坦部７７Ａ、８３Ａ、第２平坦部７７Ｂ、８３Ｂ、及び第３平坦部７７Ｃ、８３Ｃは、断面コ字状に折曲げられるだけでなく、第３平坦部７７Ｃ、８３Ｃが、第１平坦部７７Ａ、８３Ａと反対側に向けられていてもよい。
【符号の説明】
【００６２】
１０  画像形成装置
１２  画像形成ユニット（画像形成部）
１３Ｃ  下ハウジング（部品）
１３Ｋ  下ハウジング（他の部品）
１６  中間転写ベルト（被転写材）
１８  一次転写ロール（転写手段）
２０  二次転写ロール（転写手段）
２８  感光体（被露光体、像保持体）
３０  露光装置
４５  コネクタ（接続部）
５６  底板
５６Ａ  溝部
５６Ｂ  溝部
７３  露光ユニット（露光手段）
７５  ＦＦＣ（電気接続部材）
７８  現像ロール（現像手段）
Ｅ１  第１折曲げ部
Ｅ２  第２折曲げ部
Ｐ  記録用紙（被転写材）
【図１】
2011133773.tif 000003
【図２】
2011133773.tif 000004
【図３】
2011133773.tif 000005
【図４】
2011133773.tif 000006
【図５】
2011133773.tif 000007
【図６】
2011133773.tif 000008
【図７】
2011133773.tif 000009
【図８】
2011133773.tif 000010
【図９】
2011133773.tif 000011